(57)【要約】【課題】首部を、刃物やスポーツ競技中に衝突してくる競技用具などから良好に守り保護する防刃・防護ネックガードであり、特に、着用者が首を回したときでも、ネックガード自体は動くことがなく、常に顎下部のＶ字部分を防護することができるネックガードを提供すること。【解決手段】首の全周を帯体で巻き、該帯体を面ファスナーで固定するネックガードであり、該帯体の上縁線が、顎下部にあたる部分の位置が首の両側部にあたる部分の位置よりも低い位置になるように、かつ該顎下部を最低部にして首の両側部ないし首後ろ部の最高部に向かいなだらかに高くなっていく形状に形成されてなることを特徴とする防刃・防護ネックガード。【選択図】図１
2008196084.tif 000002
【特許請求の範囲】
【請求項１】
首の全周を帯体で巻き、該帯体を面ファスナーで固定するネックガードであり、該帯体の上縁線が、顎下部にあたる部分の位置が首の両側部にあたる部分の位置よりも低い位置になるように、かつ該顎下部を最低部にして首の両側部ないし首後ろ部の最高部に向かいなだらかに高くなっていく形状に形成されてなることを特徴とする防刃・防護ネックガード。
【請求項２】
前記帯体の上縁線が、顎下部にあたる部分の最低部位置Ｐ1 と、首の両側部ないし首後ろ部の最高部位置Ｐ2 との高低差ＨがＨ＝３０ｍｍ〜５０ｍｍであることを特徴とする請求項１記載の防刃・防護ネックガード。
【請求項３】
前記帯体の上縁線が顎下部にあたる部分である最低部位置Ｐ1 において、該帯体の幅Ｗ1 がＷ1 ＝８０ｍｍ±１５ｍｍであることを特徴とする請求項１または２記載の防刃・防護ネックガード。
【請求項４】
前記帯体の上縁線が首の両側部ないし首後ろ部である最高部位置Ｐ2 において、該帯体の幅Ｗ2 がＷ2 ＝７５ｍｍ±１５ｍｍであり、かつ、両サイドの最高部位置Ｐ2 間の距離Ｗ3 がＷ3 ＝３００ｍｍ±２０ｍｍであることを特徴とする請求項１〜３のいずれかに記載の防刃・防護ネックガード。
【発明の詳細な説明】
【技術分野】
【０００１】
本発明は、防刃・防護ネックガードに関する。
【０００２】
本発明において、防刃・防護ネックガードとは、警備・保安業務の従事者が刃物などの凶器から首部を守るために用いられる、あるいは、アイスホッケー、インラインホッケーなどの競技用具（アイスホッケーで言えば、パック）が直接プレイヤーや審判などの身体に当たる可能性のあるスポーツにおいて該用具の衝突から首部を保護するために用いられる、いわゆるネックガードと呼ばれている保護具を総称して言うものである。
【背景技術】
【０００３】
従来から、刃物から身体を守るための防刃上衣や防護胴衣などの提案がされている（特許文献１、２）。
【０００４】
しかし、これらの提案は、上半身胴部を保護するためのものであり、首部を保護するための部位はなく、本来、急所と言うべき首部に対する保護という点では不十分なものであった。
【０００５】
一方、首部を刃物などから保護するネックガードとして、複数本の金属素線からなる金属ロープで構成されたシート状物を側地で縫合したものが提案され、更に、該シート状物を金属ロープとパラ系アラミド繊維を用いて構成することが提案されている（特許文献３）。
【０００６】
しかし、この提案のものは、防刃性や全体形態ではいまだ不十分な点があり、特に、提案されている形態においては、首を前後に動かしたときでも、顎や後頭部にネックガードが当たらないように形が作られているが（特許文献３の段落００２９、同００３０、図３）、そのような顎や後頭部にネックガードが当たらないという形状では、逆に、保護がし切れていない部分もあるということであり、万が一のことを考えれば、その部分の防護の成否が問題となる。
【特許文献１】特開２０００−３２０９９９号公報
【特許文献２】特開２００１−３０３３１３号公報
【特許文献３】特開２００２−２４３３９７号公報
【発明の開示】
【発明が解決しようとする課題】
【０００７】
本発明の目的は上述したような点に鑑み、首部を、刃物やスポーツ競技中に衝突してくる競技用具などから良好に守り保護する防刃・防護ネックガードであり、特に、着用者が首を回したり、前後左右に動かしたときでも、ネックガード自体は動くことがなく、固定した保護状態を保つことができて、常に顎下部のＶ字部分を防護することができるネックガードを提供することにある。
【課題を解決するための手段】
【０００８】
上述した目的を達成する本発明の防刃・防護ネックガードは、以下の（１）の構成からなる。
【０００９】
（１）首の全周を帯体で巻き、該帯体を面ファスナーで固定するネックガードであり、該帯体の上縁線が、顎下部にあたる部分の位置が首の両側部にあたる部分の位置よりも低い位置になるように、かつ該顎下部を最低部にして首の両側部ないし首後ろ部の最高部に向かいなだらかに高くなっていく形状に形成されてなることを特徴とする防刃・防護ネックガード。
【００１０】
また、かかる本発明のネックガードにおいて、より好ましくは、以下の（２）〜（４）のいずれかの具体的構成を有するものである。
【００１１】
（２）前記帯体の上縁線が、顎下部にあたる部分の最低部位置Ｐ1 と、首の両側部ないし首後ろ部の最高部位置Ｐ2 との高低差ＨがＨ＝３０ｍｍ〜５０ｍｍであることを特徴とする上記（１）記載の防刃・防護ネックガード。
【００１２】
（３）前記帯体の上縁線が顎下部にあたる部分である最低部位置Ｐ1 において、該帯体の幅がＷ1 がＷ1 ＝８０ｍｍ±１５ｍｍであることを特徴とする上記（１）または（２）記載の防刃・防護ネックガード。
【００１３】
（４）前記帯体の上縁線が首の両側部ないし首後ろ部である最高部位置Ｐ2 において、該帯体の幅Ｗ2 がＷ2 ＝７５ｍｍ±１５ｍｍであり、かつ、両サイドの最高部位置Ｐ2 間の距離Ｗ3 がＷ3 ＝３００ｍｍ±２０ｍｍであることを特徴とする上記（１）〜（３）のいずれかに記載の防刃・防護ネックガード。
【発明の効果】
【００１４】
本発明の防刃・防護ネックガードによれば、特に首部を左右・前後に激しく回したりしたときなどでも、首部の動きとともに追従して廻ってしまうことや動いてしまうことがほとんどなく、そのため、瞬間的にもガードされていない無防備な部分を生じさせることがほぼなくなり、首部やその周辺を刃物やスポーツ競技中に衝突してくる競技用具などから良好に守り保護することができる。
【発明を実施するための最良の形態】
【００１５】
以下、更に詳しく本発明の防刃・防護ネックガードについて、説明する。
【００１６】
図１は、本発明の１実施態様例をモデル的に示した概略正面モデル図であり、本発明の防刃・防護ネックガード１は、首の全周を帯体で巻き、該帯体を面ファスナー５、６で固定するものであり、該帯体の上縁線Ｌが、顎下部２にあたる部分の位置が首の両側部３にあたる部分の位置よりも低い位置になるように、かつ該顎下部２を最低部Ｐ1 にして首の両側部３ないし首後ろ部４に位置する最高部Ｐ2 に向かいなだらかに高くなっていく形状に形成されている。このように、本発明においては、帯体の上縁線Ｌが、顎下部２にあたる部分の位置が首の両側部３にあたる部分の位置よりも低い位置になるように、かつ該顎下部２を最低部にして首の両側部３ないし首後ろ部４の最高部に向かいなだらかに高くなっていくように形成されていることに大きな特徴があり、もしも、なだらかにせずに階段状に形成すると、防刃・防護を有効にできない隙間的部分を生ずることと繋がり、更に、着用者が首を回したり、前後左右に首を動かしたときでも、ネックガード自体が動くことができる余地が生ずることとなり、ネックガードが固定的であり首の動きにつれて動くことがないネックガードを得るという本発明の所期目的を達成することはむずかしい。
【００１７】
また、帯体の上縁線の高低差で示すと、顎下部にあたる部分の最低部位置Ｐ1 と、最高部位置Ｐ2 との高低差ＨがＨ＝３０ｍｍ〜５０ｍｍの範囲内であることが好ましく、より好ましくは、３０ｍｍ〜４０ｍｍである。
【００１８】
なお、本発明において「なだらかに高くなっていく」とは、最低部Ｐ1 から最高部Ｐ2 に向かう上縁線Ｌにおいて、水平方向に平行な線（平坦な線）が実質的に長さ５ｃｍ以上、続いていないことを言う。
【００１９】
また、帯体の上縁線が顎下部にあたる部分である最低部位置Ｐ1 において、該帯体の幅Ｗ1 がＷ1 ＝８０ｍｍ±１５ｍｍであることが好ましい。
【００２０】
また、前記帯体の上縁線が首の両側部ないし首後ろ部にある最高部位置Ｐ2 において、該帯体の幅Ｗ2 がＷ2 ＝７５ｍｍ±１５ｍｍであり、かつ、両サイドの該最高部位置Ｐ2 間の距離Ｗ3 がＷ3 ＝３００ｍｍ±２０ｍｍであることが好ましい。
【００２１】
本発明において、帯体を構成する素材は、防刃・防護効果が認められるものであればよく、特に限定されるものではないが、例えば、高強力繊維のフェルトや織物あるいは編物などを使用できる。また、これら以外のものでも、ある程度柔らかく可撓性のあるＦＲＰ板（繊維強化プラスチック板）や金属板などでも使用することができる。
【００２２】
特に、本発明者らの知見によれば、該帯体の内部には、高強力繊維が目付５０〜１０００ｇ／ｍ2 で、より好ましくは、高強力繊維が目付２５０〜８００ｇ／ｍ2 で含有されているフェルト状および／または織物または編物状などで構成することが使用感も良好であって好ましい。ここで、高強力繊維とは、例えば、繊維種類としては、芳香族ポリアミド繊維、高強力ポリエチレン繊維、チタン繊維、ポリ−パラ−フェニレンベンゾビスオキサゾール繊維、あるいはセラミック繊維など、および前記高強力繊維布帛に炭化ケイ素等のコーティングを施したものなどがある。本発明において、芳香族ポリアミド繊維は、防刃・防護効果の点から、好ましくはパラ系芳香族ポリアミド繊維を使用するのがよい。
【００２３】
該帯体の厚さは、具体的に要請される防塵・防護効果の大小にほぼ対応して決まるものであるが、一般的には、数ｍｍ〜２０ｍｍ程度はあることが好ましく、さらに好ましくは５ｍｍ〜１５ｍｍ程度、最も好ましくは５ｍｍ〜１０ｍｍ程度であることである。この厚さは、上記の範囲内で、一般的にはなるべく厚めとする方が、首の動きにつれて動くことがないという固定化状態をより強固に発揮でき、かつ保護効果も大きくなることから好ましいと言えるが、着用者が楽に感ずる（窮屈さを感じない）程度の厚さにとどめることも重要である。
【００２４】
また、帯体は、複数層の構成としてもよく、その場合、全部の層が同一素材層にしてもよいが、異なる素材層を組合せた積層構造としてもよく、例えば、内芯層と外層からなるようにし、外内芯層が、金属や金属繊維からなるものあるいはＦＲＰ板または金属板からなるものなどにし、その外層として繊維（高強力繊維、あるいは普通強力繊維）からなる層（フェルトや織物あるいは編物など）を配して構成するようにしてもよい。
【図面の簡単な説明】
【００２５】
【図１】図１は、本発明の防刃・防護ネックガードの１実施態様例をモデル的に示した概略正面モデル図である。
【符号の説明】
【００２６】
１  本発明の防刃・防護ネックガード
２  顎下部
３  首の両側部
４  首後ろ部
５  面ファスナー
６  面ファスナー
Ｌ  帯体（ネックガード）の上縁線
Ｈ  帯体の上縁線Ｌの、顎下部にあたる部分の最低部位置と、最高部位置との高低差
Ｐ1   上縁線の最低部
Ｐ2   上縁線の最高部
Ｗ1   上縁線が顎下部にあたる部分である最低部位置Ｐ1 における帯体の幅
Ｗ2   首の両側部ないし首後ろ部である最高部位置Ｐ2 における帯体の幅
Ｗ3   両サイドの最高部位置Ｐ2 間の距離
【図１】
2008196084.tif 000003